(57)【特許請求の範囲】
【請求項１】
前面に凹所と予め壁面に取り付けたコンセントの前側に位置する部分に設けた切欠部及び該切欠部を挟んで両側に水平方向に並んだ載置部を有するホルダーと、前記切欠部に着脱自在に係合し前記コンセントの前面を覆うカバーとを備え、ドライヤー本体を前記凹所に収納し前記載置部に載置するようにしたものにおいて、前記カバーには、該カバーと一体に一側をカバーの上下方向に延びる２つの端縁のうちの一方の端縁に近づけ他側をカバーの前記一方の端縁と対向する他方の端縁よりも離間した位置に横長の支承部を設け、前記支承部と一方の載置部との間に収納空間を形成し、前記収納空間に前記ドライヤー本体の一部を収納すると共に、前記カバーは上下反転自在にして係合することを特徴とする壁掛式ヘアドライヤー。
【請求項２】
前記カバーは、側面形状が弓形であって自身の弾性により係合片を前記ホルダーの切欠部に設けた係合受部に係合することを特徴とする請求項１に記載の壁掛式ヘアドライヤー。
【請求項３】
前記載置部はそれぞれが水平方向に一列に並んで設けられ、前記支承部も横長としカバーの係合時に支承部と載置部が水平方向に略一列に並ぶように配置することを特徴とする請求項１に記載の壁掛式ヘアドライヤー。
【発明の詳細な説明】
【０００１】
【発明の属する技術分野】
本発明はホテル等のバスルームに取り付ける壁掛式ヘアドライヤーに関する。
【０００２】
【従来の技術】
此種の壁掛式ヘアドライヤーは、特にホテルのバスルームや洗面所付近に使用されるもので、家庭と比べて比較的狭いところに取り付けられるケースが多い。
【０００３】
このため、バスや蛇口、化粧鏡等、特に既設のコンセントとの位置関係からドライヤー本体を収納保持するホルダーの取付位置が制限されることがしばしば発生する。
【０００４】
従って、例えば既設のコンセントがバスルームや洗面所の左隅部に近い位置にある場合には、ドライヤー本体の温風吹出部が左側の壁に向かわないようにする安全面の配慮から吹出部が右側に向くようにする必要がある。
【０００５】
これは、仮に電源スイッチを切らない状態のドライヤー本体をそのままホルダーに収納した時、またその状態に気づくのが遅れて長時間高温の温風が左側の壁に当った場合は、左側の壁が熱変形や変色を生じたり、最悪の場合は火災の原因となった。
【０００６】
上述の様な理由からホルダーの取付位置に応じてドライヤー本体の収納（載置）方向が変えられるようにホルダー自体の改良を図ったものがある。（特開平１１−１８７９２３号公報）。
【０００７】
この先行技術では、ホルダーのそれぞれが隣接した位置に２つの凹部を設け、一方の凹部をドライヤー本体の左向き用とし他方の凹部を右向き用としている。
【０００８】
【発明が解決しようとする課題】
ところが、一方の凹部を利用してドライヤー本体を収納する場合は他方の凹部が不要となり体裁が悪くなるため、別個の部品（凹部閉塞体）により閉塞するようにしている。
【０００９】
以上の様に閉塞体を別部品で構成するために、ホルダーの部品点数が増えることは勿論のこと紛失したり、長期間の使用による変形により脱落する欠点があった。
【００１０】
本発明は、別部品を用いることなく簡単な構成によりドライヤー本体の左右収納を行うようにしたものである。
【００１１】
【課題を解決するための手段】
本発明は、前面に凹所と予め壁面に取り付けたコンセントの前側に位置する部分に設けた切欠部及び該切欠部を挟んで両側に水平方向に並んだ載置部を有するホルダーと、前記切欠部に着脱自在に係合し前記コンセントの前面を覆うカバーとを備え、ドライヤー本体を前記凹所に収納し前記載置部に載置するようにしたものにおいて、前記カバーには、該カバーと一体に一側をカバーの上下方向に延びる２つの端縁のうちの一方の端縁に近づけ他側をカバーの前記一方の端縁と対向する他方の端縁よりも離間した位置に横長の支承部を設け、前記支承部と一方の載置部との間に収納空間を形成し、前記収納空間に前記ドライヤー本体の一部を収納すると共に、前記カバーは上下反転自在にして係合するものである。
【００１２】
また、前記カバーは、側面形状が弓形であって自身の弾性により係合片を前記ホルダーの切欠部に設けた係合受部に係合するものである。
【００１３】
そして、前記載置部はそれぞれが水平方向に一列に並んで設けられ、前記支承部も横長としカバーの係合時に支承部と載置部が水平方向に略一列に並ぶように配置するものである。
【００１４】
【発明の実施の形態】
本発明の実施例を図面に基づいて説明する。図１は本発明の壁掛式ヘアドライヤーのドライヤー本体をホルダーに収納した正面図、図２は同じく側面断面図、図３は同じくドライヤー本体を収納しない状態でのホルダーの正面図、図４は同じくカバーの斜視図である。
【００１５】
（１）は壁に取り付けられた既設の２口用コンセント、（２）は前記コンセントのプレート、（３）は前記コンセント（１）を露呈した状態で壁に取り付ける合成樹脂製のシャーシである。
【００１６】
（４）は前面に凹所（５）と縦長の切欠部（６）と該切欠部を挟んで両側に載置部（７）（７）を一体に設けた合成樹脂製のホルダーで、外周縁を前記シャーシ（３）に固定すると共に、前記切欠部（６）はコンセント（１）の前側に位置する部分に形成している。また、前記切欠部（６）の上下部には係合受部（８）、（８）を設けると共に、上部の係合受部（８）には係合孔（９）を穿設しており、前記載置部（７）、（７）は図１乃び図３に示す様に横長でそれぞれが水平方向に一列に並んで設けられ、前記載置部の切欠部に近い位置には上方に延びるサポーター（１０）、（１０）を取り付けている。
【００１７】
（１１）は詳図していないが前記シャーシ（３）とホルダー（４）との接合部（１２）から導入する電源コード（１３）に接続した漏電遮断器で、前側にはテストボタン（１４）とリセットボタン（図示せず）を設け前記切欠部（６）に臨ませている。
【００１８】
（１５）は前記切欠部（６）に着脱自在に係合する合成樹脂製で側面形状が弓形のカバーで、上下部には同形状の係合片（１６）、（１６）を一体成形し、略中間部には横長の支承部（１７）を一体成形している。
【００１９】
前記支承部（１７）は、一側を（１５）の上下方向に延びる２つの端縁のうちの一方の端縁（１８）に近づけ他側をカバー（１５）の一方の端縁（１８）と対向する他方の端縁（１９）よりも離間した位置に設けられており、支承部（１７）の一側とカバー（１５）の一端縁（１８）との間には収納空間（２０）を形成している。
【００２０】
また、前記支承部（１７）は、図４に示す様に内部が空洞となっていることから、これらの上下部を押さえることにより、係合片（１６）（１６）同士が近づく。
【００２１】
（２１）は一端に吸気口（２２）を有し他端に温風の吐出口（２３）を形成したドライヤー本体で、前記吸気口と吐出口を繋ぐ胴部（２４）にはモータ、ファン（図示せず）を内装し、この胴部の下側には該胴部に近い位置に軸に回動自在に枢着したハンドル（２５）を有している。
【００２２】
前記胴部（２４）の下端からは前記漏電遮断器（１１）に続く電源コード（１３）を導出している。
【００２３】
次に、使用形態について述べる。例えば既設のコンセント（１）がバスルームの左隅部或は化粧鏡の右側にホルダー（４）の取り付けスペースがない場合にはホルダーをバスルーム或は化粧鏡の左側に取り付けることになる。
【００２４】
具体的な取り付け構造は、始めにプレート（２）の取り付けネジ等を利用してシャーシ（３）を壁に取り付けた後、漏電遮断器（１１）の差込刃（図示せず）をコンセント（１）に差し込む。
【００２５】
つづいて、支承部（１７）を上下から押えたまま上部の係合片（１６）を係合受部（８）に係合し、下部の係合片（１６）をネジ（２１）により固定して左側の載置部（７）と支承部（１７）とによりホルダー（４）の左側に収納空間（２０）を形成する。（図１）。
【００２６】
カバー（１５）を切欠部（６）に係合した状態では、カバー自身の弾性により係合片と、係合受部（８）の係合が確実になると共に、支承部（１７）と載置部（７）、（７）のそれぞれが水平方向に略一列に並ぶようになる。
【００２７】
そして、ドライヤー本体（２１）の胴部（２４）とハンドル（２５）との枢着部分を収納空間（２０）内に入れ、胴部（２４）を凹所（５）に収納すると共に、胴部をサポーター（１０）、（１０）により支持する。
【００２８】
この状態では図１に示す様にドライヤー本体（２１）の吐出口（２３）が右側に向き左側の壁に温風が当たることがない。
【００２９】
もし、既設のコンセントがバスルームの右隅部にある場合には、前述の図１の様にホルダー（４）の左側に収納空間（２０）があると吐出口（２３）が出る温風が直接壁に当たるため危険であることから、上下の係合片（１６）、（１６）を外した後カバー（１５）を上下反転させて上側にあった係合片（１６）を切欠部（６）の下側の係合受部（８）に係合し、下側にあった係合片（１６）を上側の係合受部（８）に係合する。
【００３０】
この結果、図３に示す様に支承部（１７）の右端と右側の載置部（７）の左端との間に収納空間（２０）が形成され、この状態でドライヤー本体（２１）の胴部を凹所（５）に収納し吐出口（２３）を左側に向ける。
【００３１】
【発明の効果】
以上の様に本発明は、コンセントの前側に位置して切欠部を設け、この切欠部の両側に載置部を設けたホルダーと、前記切欠部に着脱自在に係合する支承部を有したカバーとを備え、カバーの装着方向を変えることにより、コンセントの位置に制限されてホルダーの取り付け場所が決められた場合であってもカバーの装着方向を上下に反転して変えるだけで簡単にドライヤー本体の収納方向（右向き、左向き）が選択できる。
【００３２】
この結果、ドライヤー本体からの温風が壁等に当たるような収納方式がなくなる。
【００３３】
特に、カバーはホルダーの全体を外して装着する必要がなく、簡単に、且つ迅速に装着することができホテルのような客室の多い所に取り付ける場合には有効となる。
【００３４】
そして、カバーの取り外した場合には、コンセントが切欠部から露呈しているため、差込刃や差込プラグとの接触状態の点検を行うことができる。
【００３５】
また、前記カバーは、側面形状を弓形にして弾性により係合片を係合受部に係合するため、装着が簡単になると共に、弓形の形状は前述の弾性を有せしめることは勿論のこと凹所の形成にも有効となる。
【００３６】
さらに、カバーの係合時に支承部と載置部が水平方向に略一列に並び、ドライヤー本体の水平方向への傾きがなく、取り出しや収納が簡単になると共に、ドライヤー本体の一部が支承部に当たり左右方向への移動やガタツキを少なくすることができる。
【図面の簡単な説明】
【図１】本発明の壁掛式ヘアドライヤーのドライヤー本体をホルダーに収納した正面図である。
【図２】同じく側面断面図である。
【図３】同じくドライヤー本体を収納しない状態でのホルダーの正面図である。
【図４】同じくカバーの斜視図である。
【符号の説明】
１  コンセント
４  ホルダー
５  凹所
６  切欠部
７  載置部
８  係合受部
１５  カバー
１６  係合片
１７  支承部
２１  ドライヤー本体
【図１】
0004017322.tif 000002
【図２】
0004017322.tif 000003
【図３】
0004017322.tif 000004
【図４】
0004017322.tif 000005